(57)【要約】【課題】  濃度が異なる調整パターンを同じ用紙に配置させて色材、用紙の消費を削減する画像形成装置を提供する。【解決手段】  調整チャート生成部８で濃度補正チャートデータを生成してプリントエンジンより濃度補正チャートを印刷し、利用者の視認による基準濃度パターンと調整濃度パターンの濃淡比較に基づく濃度調整値の入力を表示／操作部２より受け付け、階調補正部９で入力された濃度調整値に基づく階調補正を行い、濃度調整値が入力されたパターンのみについて濃度補正チャートを印刷する。【選択図】  図１
2010164620.tif 000002
【特許請求の範囲】
【請求項１】
基準濃度パターンと調整濃度パターンを並置して印刷する濃度補正チャートデータを生成するチャートデータ生成手段と、
前記濃度補正チャートデータに基づき各パターン毎に基準濃度パターンと調整濃度パターンが並置された濃度補正チャートを印刷する印刷手段と、
印刷された濃度補正チャート上の利用者の視認による基準濃度パターンと調整濃度パターンの濃淡比較に基づく任意のパターンの濃度調整値の入力を受付ける受付け手段と、
前記受付手段が受付けた任意のパターンの濃度調整値に基づき該任意のパターンの階調補正を行う階調補正手段と、
前記受付手段が前記濃度調整値を受付けたパターンのパターンデータのみについて基準濃度パターンと濃度補正後の調整濃度パターンを並置して印刷する濃度補正チャートデータを再構築する再構築手段と
を具備し、
濃度補正チャートの印刷指示に基づき、全ての種類のパターン毎に基準濃度パターンと調整濃度パターンが並置された濃度補正チャートを印刷して調整ステップに移行し、該調整ステップでは、前記印刷された濃度補正チャート上で利用者の視認による基準濃度パターンと調整濃度パターンの濃淡比較に基づく任意のパターンの濃度調整値の入力を受付けて該入力された濃度調整値に対応するパターンのみに関して基準濃度パターンと調整濃度パターンが並置された濃度補正チャートを印刷し、以後、該印刷された濃度補正チャート上で利用者による濃度調整値の入力を受付ける処理を繰り返すことにより全てのパターンについて濃度補正を行う画像形成装置。
【請求項２】
前記チャートデータ生成手段は、濃度補正チャートの印刷指示に基づき、各色の１濃度分のパターンデータが１頁に配置された該濃度数に対応する頁分のチャートデータを生成し、
前記再構築手段は、前記調整ステップ以降、前記濃度調整値が入力された色以外の色のパターンデータを該当する頁から削除したチャートデータを再構築する
請求項１記載の画像形成装置。
【請求項３】
前記チャートデータ生成手段は、濃度補正チャートの印刷指示に基づき、各色の１濃度分のパターンデータが１頁に配置された該濃度数に対応する頁分のチャートデータを生成し、
前記再構築手段は、前記調整ステップ以降、前記濃度調整値が入力されたパターンのパターンデータを１頁にまとめたチャートデータを再構築する
請求項１記載の画像形成装置。
【請求項４】
前記チャートデータ生成手段は、濃度補正チャートの印刷指示に基づき、同じ色の濃度数分のパターンデータが１頁に配置された該色数に対応する頁分のチャートデータを生成し、
前記再構築手段は、前記調整ステップ以降、前記濃度調整値が入力された濃度以外の濃度のパターンデータを該当する頁から削除したチャートデータを再構築する
請求項１記載の画像形成装置。
【請求項５】
前記チャートデータ生成手段は、濃度補正チャートの印刷指示に基づき、同じ色の濃度数分のパターンデータが１頁に配置された該色数に対応する頁分のチャートデータを生成し、
前記再構築手段は、前記調整ステップ以降、前記濃度調整値が入力されたパターンのパターンデータを１頁にまとめたチャートデータを再構築する
請求項１記載の画像形成装置。
【請求項６】
前記再構築手段は、前記調整ステップ以降、前記濃度調整値が入力されたパターンのパターンデータの濃度補正チャート中における印刷位置を再構築する
請求項１乃至５のいずれかに記載の画像形成装置。
【請求項７】
基準濃度パターンと調整濃度パターンを並置して印刷する１種類のパターンデータを保持する保持手段
を更に備え、
前記チャートデータ生成手段は、前記保持手段が保持しているパターンデータに対する色指定を受付け、該指定された色に対応して基準濃度パターンと調整濃度パターンを並置して印刷する濃度補正チャートデータを生成する
請求項１乃至６のいずれか記載の画像形成装置。
【請求項８】
前記濃度補正チャートは、色の濃度調整の為である
請求項１乃至７のいずれか記載の画像形成装置。
【請求項９】
前記濃度補正チャートは、グレーバランス調整の為である
請求項１乃至７のいずれか記載の画像形成装置。
【発明の詳細な説明】
【技術分野】
【０００１】
本発明は、画像形成装置に関する。
【背景技術】
【０００２】
プリンタや複写機等の画像形成装置においては、画像形成装置を構成する各部の経時的な変化により、出力者の意図とは異なった画質で印刷出力されてしまう場合がある。
【０００３】
このような場合には、グレー濃度や色再現性等を調整するためのキャリブレーションが行われる。
【０００４】
キャリブレーションが行われる為に、調整が行われる画像形成装置から調整チャートが印刷出力される。
【０００５】
特許文献１には、１枚目に濃度キャリブレーション調整チャートを出力し、２枚目に濃度調整確認とグレー補正調整チャートとを共に出力し、３枚目にグレー補正確認チャートを出力して調整作業の工数と材料消費の削減ができる色変換調整方法が提案されている。
【０００６】
特許文献２には、予め調整者のチャートへの選択についての正解値とのずれを登録手段に登録しておき、その調整者が試し刷りチャート上での選択とその調整者の登録された正解値とのずれの傾向とに応じて濃度調整値が決定されて、調整者等が変化した場合でもその変化に応じて調整ムラのないカラー画像出力装置のキャリブレーション方式が提供されている。
【特許文献１】特開平１０−３２２５６２号公報
【特許文献２】特開２００２−２３２７３０号公報
【発明の開示】
【発明が解決しようとする課題】
【０００７】
この発明は、濃度が異なる調整パターンを同じ用紙に配置させて色材、用紙の消費を削減する画像形成装置を提供することを目的とする。
【課題を解決するための手段】
【０００８】
上記目的を達成する為に、請求項１の発明の画像形成装置は、基準濃度パターンと調整濃度パターンを並置して印刷する濃度補正チャートデータを生成するチャートデータ生成手段と、前記濃度補正チャートデータに基づき各パターン毎に基準濃度パターンと調整濃度パターンが並置された濃度補正チャートを印刷する印刷手段と、印刷された濃度補正チャート上の利用者の視認による基準濃度パターンと調整濃度パターンの濃淡比較に基づく任意のパターンの濃度調整値の入力を受付ける受付け手段と、前記受付手段が受付けた任意のパターンの濃度調整値に基づき該任意のパターンの階調補正を行う階調補正手段と、前記受付手段が前記濃度調整値を受付けたパターンのパターンデータのみについて基準濃度パターンと濃度補正後の調整濃度パターンを並置して印刷する濃度補正チャートデータを再構築する再構築手段とを具備し、濃度補正チャートの印刷指示に基づき、全ての種類のパターン毎に基準濃度パターンと調整濃度パターンが並置された濃度補正チャートを印刷して調整ステップに移行し、該調整ステップでは、前記印刷された濃度補正チャート上で利用者の視認による基準濃度パターンと調整濃度パターンの濃淡比較に基づく任意のパターンの濃度調整値の入力を受付けて該入力された濃度調整値に対応するパターンのみに関して基準濃度パターンと調整濃度パターンが並置された濃度補正チャートを印刷し、以後、該印刷された濃度補正チャート上で利用者による濃度調整値の入力を受付ける処理を繰り返すことにより全てのパターンについて濃度補正を行うように構成される。
【０００９】
また、請求項２の発明は、請求項１の発明において、前記チャートデータ生成手段は、濃度補正チャートの印刷指示に基づき、各色の１濃度分のパターンデータが１頁に配置された該濃度数に対応する頁分のチャートデータを生成し、前記再構築手段は、前記調整ステップ以降、前記濃度調整値が入力された色以外の色のパターンデータを該当する頁から削除したチャートデータを再構築するように構成される。
【００１０】
また、請求項３の発明は、請求項１の発明において、前記チャートデータ生成手段は、濃度補正チャートの印刷指示に基づき、各色の１濃度分のパターンデータが１頁に配置された該濃度数に対応する頁分のチャートデータを生成し、前記再構築手段は、前記調整ステップ以降、前記濃度調整値が入力されたパターンのパターンデータを１頁にまとめたチャートデータを再構築するように構成される。
【００１１】
また、請求項４の発明は、請求項１の発明において、前記チャートデータ生成手段は、濃度補正チャートの印刷指示に基づき、同じ色の濃度数分のパターンデータが１頁に配置された該色数に対応する頁分のチャートデータを生成し、前記再構築手段は、前記調整ステップ以降、前記濃度調整値が入力された濃度以外の濃度のパターンデータを該当する頁から削除したチャートデータを再構築するように構成される。
【００１２】
また、請求項５の発明は、請求項１の発明において、前記チャートデータ生成手段は、濃度補正チャートの印刷指示に基づき、同じ色の濃度数分のパターンデータが１頁に配置された該色数に対応する頁分のチャートデータを生成し、前記再構築手段は、前記調整ステップ以降、前記濃度調整値が入力されたパターンのパターンデータを１頁にまとめたチャートデータを再構築するように構成される。
【００１３】
また、請求項６の発明は、請求項１乃至５のいずれかの発明において、前記再構築手段は、前記調整ステップ以降、前記濃度調整値が入力されたパターンのパターンデータの濃度補正チャート中における印刷位置を再構築するように構成される。
【００１４】
また、請求項７の発明は、請求項１乃至６のいずれかの発明において、基準濃度パターンと調整濃度パターンを並置して印刷する１種類のパターンデータを保持する保持手段を更に備え、前記チャートデータ生成手段は、前記保持手段が保持しているパターンデータに対する色指定を受付け、該指定された色に対応して基準濃度パターンと調整濃度パターンを並置して印刷する濃度補正チャートデータを生成するように構成される。
【００１５】
また、請求項８の発明は、請求項１乃至７のいずれかの発明において、前記濃度補正チャートは、色の濃度調整の為であるように構成される。
【００１６】
また、請求項９の発明は、請求項１乃至７のいずれかの発明において、前記濃度補正チャートは、グレーバランス調整の為であるように構成される。
【発明の効果】
【００１７】
請求項１の発明によれば、調整ステップ以降、入力を受け付けた濃度調整値に対応するパターンのみに関して濃度補正チャートが印刷される。
【００１８】
請求項２の発明によれば、調整ステップ以降、入力を受け付けた濃度調整値に対応するパターンのみに関して濃度補正チャートが印刷される。
【００１９】
請求項３の発明によれば、調整ステップ以降、入力を受け付けた濃度調整値に対応するパターンのみに関して濃度補正チャートが印刷される。
【００２０】
請求項４の発明によれば、調整ステップ以降、入力を受け付けた濃度調整値に対応するパターンのみに関して濃度補正チャートが印刷される。
【００２１】
請求項５の発明によれば、調整ステップ以降、入力を受け付けた濃度調整値に対応するパターンのみに関して濃度補正チャートが印刷される。
【００２２】
請求項６の発明によれば、調整ステップ以降、入力を受け付けた濃度調整値に対応するパターンのみに関して濃度補正チャートが印刷される。
【００２３】
請求項７の発明によれば、１種類のパターンデータに基づき濃度補正チャートが生成される。
【００２４】
請求項８の発明によれば、色の濃度調整の為の濃度補正チャートが生成される。
請求項９の発明によれば、グレーバランス調整の為の濃度補正チャートが生成される。
【発明を実施するための最良の形態】
【００２５】
以下、本発明の実施例について添付図面を参照して詳細に説明する。
【００２６】
まず、画像形成装置１について図１を参照して説明を行う。
【００２７】
図１は、画像形成装置１の構成を示すブロック図である。
【００２８】
図１に示すように、画像形成装置１は、表示／操作部２、制御部３、ＲＯＭ（Reed Only Memory）４、ＲＡＭ（Random Access Memory）５、画像処理部７を有する。
【００２９】
表示／操作部２は、液晶のタッチパネルで構成されるユーザインタフェースである。
【００３０】
制御部３は、ＣＰＵ（Central Processing Unit）で構成され、画像形成装置１を統括的に制御する。
【００３１】
ＲＯＭ４は、画像形成装置１を動作させるファームウェアや、印刷される調整チャートの元データとなる元チャートを記憶する。
【００３２】
プリントエンジン６は、感光体、現像装置、露光装置等を備え、用紙に画像データを印刷する処理を行う。
【００３３】
画像処理部７は、調整チャートの画像データを生成する調整チャート生成部８と、印刷される画像データのガンマ補正を行う階調補正部９と、ガンマ補正された画像データのハーフトーン処理を行うスクリーン処理部１０とを備える。
【００３４】
調整チャート生成部８は、ＲＯＭ５に記憶される元チャートに基づいて、調整チャートを生成する。
【００３５】
調整チャートは異なる色で表現される調整パターンと、基準となる色が表現される基準パターンとからなる。
【００３６】
また、調整チャート生成部８は、色指定処理部１１と低線数パターン処理部１２とを有している。
【００３７】
色指定処理部１１は、ＲＯＭ５に記憶される元チャートに対して色を指定する処理を行う。
【００３８】
低線数パターン処理部１２は、色が指定された元チャートの基準パターン部分を低線数のライン表示になるように画像処理をする。
【００３９】
この低線数パターン処理部１２による処理によって、基準パターンの濃度がLow（薄い）、Middle（普通）、High（濃い）と３種類生成される。
【００４０】
階調補正部９は、記憶するＬＵＴ（LookUp Table）に基づき、印刷出力する画像データのガンマ補正を行う。
【００４１】
スクリーン処理部１０は、ハーフトーン処理を行う。
【００４２】
ユーザは、画像形成装置１のグレーバランスや階調の調整を行う場合に、画像形成装置１より調整チャートを印刷させる。
【００４３】
印刷された調整チャートには、複数の同心円で構成される円が印刷されている。
【００４４】
複数の同心円で構成される円には色の基準となる基準パターンと異なる色で印刷された調整パターンとが印刷されており、調整を行うユーザは、基準パターンと同じように見える色（基準パターンに最も近いと見える色）を調整パターンから選択して、その調整パターンの値を調整値として画像形成装置１に入力する。
【００４５】
すると、画像形成装置１では、入力された調整値に基づきグレーバランスや階調の調整を行う。
【００４６】
次に、印刷された調整チャートについて図２を参照して説明を行う。
【００４７】
図２は、印刷された調整チャートの一例を示した模式図である。
【００４８】
調整チャートには、図２に示すように、複数の同心円で構成される円が左上と右上と左下と右下とにそれぞれ配置されている。
【００４９】
次に調整チャートを構成する、複数の同心円で構成される円について図３を参照して説明を行う。
【００５０】
図３は、図２に示す印刷された調整チャートの一部を示す模式図である。
【００５１】
調整チャートの一部である、複数の同心円で構成される円は、図３に示すように、基準パターンと調整パターンとが交互に隣り合わせで配置されている。
【００５２】
調整パターンは５つあり、それぞれ調整パターン１、調整パターン２、調整パターン３、調整パターン４、調整パターン５と名前が付けられている。
【００５３】
基準パターンは、比較的画像形成装置１の濃度変動に強い低線数スクリーンで印刷されている。
【００５４】
それと比較して、調整パターンは、実際に印刷される実使用スクリーンで印刷されていて、それぞれの調整パターンは異なる色で印刷されている。
【００５５】
次に、調整チャートを印刷するための元チャートについて図４を参照して説明を行う。
【００５６】
図４は、ＲＯＭ５に記憶される元チャートの画像データを示す模式図である。
【００５７】
元チャートは、図４に示すように、複数の同心円で構成される円が、左上と右上と左下と右下の４つ配置されて構成される。
【００５８】
元チャートの一部である複数の同心円で構成される円を図５を参照して説明する。
【００５９】
図５は、元チャートの画像データの一部である複数の同心円で構成される円を示す模式図である。
【００６０】
図５に示すように、元チャートの一部である複数の同心円で構成される円は、同心円の重なりで生成される複数の輪の集まりとなる。
【００６１】
そして、元チャートの一部は、図４に示すように、基準パターンの輪と基準パターンの輪の間に調整パターンの輪が存在する。
【００６２】
複数の同心円で構成される円を外側の輪から示すと、図５に示すように、基準パターンの輪、調整パターン５の輪、基準パターンの輪、調整パターン４の輪、基準パターンの輪、調整パターン３の輪、基準パターンの輪、調整パターン２の輪、基準パターンの輪、調整パターン１の輪、基準パターンの円と配置されている。
【００６３】
色の指定はこれらの輪や円に行われる。
【００６４】
調整チャートの生成は、このような元チャートの一部である複数の同心円で構成される円の輪のそれぞれに、予め設定された組み合わせの色がそれぞれ指定されることによって配色される。
【００６５】
図５では説明を分かり易くする為、輪と輪との境には境が明確になるように線をつけているが、実際は、輪と輪との境には線はついていない。それで、このような元チャートの一部であり複数の同心円で構成される円に色の指定がなされないと、その部分にはなにも印刷されない。つまり、図３で示した左上と右上の円だけに色の配色が行われた場合には、１枚の用紙中に、左上にひとつ、右上にひとつの調整チャートの円だけが印刷され、用紙中の左下、右下にはなにも印刷されず、１枚の用紙中に２つの調整チャートの円が印刷されることになる。
【００６６】
次に、調整チャート生成部８内の色指定処理部１１に記憶される配色の組み合わせについて図６を参照して説明を行う。
【００６７】
図６は、色指定処理部１１に記憶される配色の組み合わせについて示した表である。
【００６８】
色指定処理部１１では、元チャートに色を配色する処理が行われる。
【００６９】
調整パターンに色を配色する処理は、元チャートの調整パターンの位置に応じた配色の組み合わせがテーブルとして存在し、その組み合わせに従って配色が行われる。
【００７０】
例えば、シアンの濃度がHighの調整チャートが生成される場合には、元チャートに、図６に示すように、シアンＨ（High）と決められた色が、基準パターン、調整パターン１、調整パターン２、調整パターン３、調整パターン４、調整パターン５の輪に配色される。
【００７１】
次に、低線数パターン処理部１２の処理について図７を参照して説明する。
【００７２】
図７は、低線数パターン処理部１２で行われる処理を示す模式図である。
【００７３】
色指定処理部１１で配色された元チャートは、低線数パターン処理部１２によって処理される。
【００７４】
低線数パターン処理部１２は、ディザ処理を利用して基準パターンを低線数パターンに変換する。
【００７５】
低線数パターン処理部１２は、図７（ｂ）に示すようなマトリクスと閾値を有しており、閾値を超える画素値は２５５で出力し、それ以外の画素値をそのまま出力する。但し、２５２から２５４は、図７（ａ）に示すように後段の比較器によって判定されて０にクリップされる。
【００７６】
このような処理を行うことによって、配色された元チャートの調整パターンの色は変化させずに、配色された元チャートの基準パターンの部分だけ縦のラインの低線数パターンに変換される。
【００７７】
基準パターンに配色する色の画素値が２５２の場合には、図７（ｂ）に示すマトリクスにおいて中央２列が２５５になった縦線パターンに変換され、基準パターンは薄い（Low）濃度の低線数パターンとなる。
【００７８】
基準パターンに配色する色の画素値が２５３の場合には、図７（ｂ）に示すマトリクスにおいて中央４列が２５５になった縦線パターンに変換され、基準パターンは普通（Middle）の濃度の低線数パターンとなる。
【００７９】
また、基準パターンに配色する色の画素値が２５４の場合には、図７（ｂ）に示すマトリクスにおいて中央６列が２５５になった縦線パターンに変換され、基準パターンは濃い（High）濃度の低線数パターンとなる。
【００８０】
それで、基準パターンの濃度が薄くされる場合には色指定処理部１１で基準パターンに２５２の画素値の色が配色されるように、基準パターンの濃度が普通にされる場合には色指定処理部１１で基準パターンに２５３の画素値の色が配色されるように、基準パターンの濃度が濃くされる場合には色指定処理部１１で基準パターンに２５４の画素値の色が配色されるように決定されている。
【００８１】
そして、低線数パターン処理部１２で処理された画像データは、階調補正部９でガンマ補正され、スクリーン処理部１０でハーフトーン処理され、プリントエンジン６より用紙に印刷される。
【００８２】
次に、濃度がLow（薄い）、Middle（普通）、High（濃い）３種類についてＣ（シアン）Ｍ（マゼンタ）Ｙ（黄色）Ｋ（ブラック）の色の調整チャートが出力されてＣ、Ｍ、Ｙ、Ｋの濃度調整が行われる処理について図８を参照して説明を行う。
【００８３】
図８は、濃度がLow（薄い）、Middle（普通）、High（濃い）３種類についてＣ、Ｍ、Ｙ、Ｋの調整チャートが印刷出力されて画像形成装置１の出力濃度調整が行われる様子について示す模式図である。
【００８４】
まず、図８（ａ）に示すように、１枚の用紙に濃度がLow（薄い）のＣ、Ｍ、Ｙ、Ｋの調整チャートが印刷される（参照番号８０１）。
【００８５】
Low（薄い）の調整チャート（参照番号８０１）には、左上にＣ（シアン）の調整チャートが配置され、右上にＭ（マゼンタ）の調整チャートが配置され、左下にＹ（黄色）の調整チャートが配置され、右下にＫ（ブラック）の調整チャートが配置される。
【００８６】
同様に、Middle（普通）の調整チャート（参照番号８０２）にも、High（濃い）の調整チャート（参照番号８０３）にも、左上にＣ（シアン）の調整チャートが配置され、右上にＭ（マゼンタ）の調整チャートが配置され、左下にＹ（黄色）の調整チャートが配置され、右下にＫ（ブラック）の調整チャートが配置される。
【００８７】
このようにLow（薄い）、Middle（普通）、High（濃い）の３枚の調整チャートが印刷出力された後、ユーザが実際に調整チャートを視認して、調整の必要があると判断して調整値が入力されるものは、Low（薄い）のＣ（シアン）とＫ（ブラック）と、Middle（普通）のＭ（マゼンタ）と、High（濃い）のＹ（黄色）であるものとする。
【００８８】
調整値の入力は、調整チャートに印刷された基準パターンに最も近い色だと見える調整パターンが選択されて入力される。
【００８９】
調整値が画像形成装置１に入力されて、画像形成装置１内で色の出力の濃度調整が行われると、濃度調整の確認の為に、調整チャートが再度印刷される。
【００９０】
しかし、濃度調整の確認の為に印刷される調整チャートは、最初に印刷したようにLow（薄い）、Middle（普通）、High（濃い）にＣＭＹＫをそれぞれ印刷するのではなく、調整値が画像形成装置１に入力されたもの調整チャートだけが印刷される。
【００９１】
すなわち、濃度調整の確認の為に印刷される調整チャートは、図８（ｂ）に示すように、Low（薄い）が印刷される用紙にはLow（薄い）のＣ（シアン）とＫ（ブラック）とが印刷され（参照番号８０４）、Middle（普通）が印刷される用紙にはMiddle（普通）のＭ（マゼンタ）が印刷され（参照番号８０５）、High（濃い）が印刷される用紙にはHigh（濃い）のＹ（黄色）が印刷される（参照番号８０６）。
【００９２】
このように、Low（薄い）が印刷される用紙、Middle（普通）が印刷される用紙、High（濃い）が印刷される用紙には、濃度調整の為に調整値が入力された色についてだけ印刷されるので、調整値が入力されなかった色の調整チャートは印刷されることなく色材消費量が削減される。
【００９３】
濃度調整確認の為に印刷された調整チャートをユーザが見て、再度濃度調整の必要のあると判断した色については、再度調整値が画像形成装置１に入力される。
【００９４】
例えば、Low（薄い）のＣ（シアン）とHigh（濃い）のＹ（黄色）に濃度調整の必要があると判断され、再度画像形成装置１に調整値が入力されるものとする。
【００９５】
その場合には、Low（薄い）のＣ（シアン）とHigh（濃い）のＹ（黄色）の調整値が画像形成装置１に入力されて、画像形成装置１内で色の出力の濃度調整が行われると、濃度調整の確認の為に、調整チャートが再度印刷される。
【００９６】
その際にも、前回印刷された調整チャートと同じ調整チャートが印刷されるのではなく、調整値が入力された色についての調整チャートが印刷される。
【００９７】
すなわち、図８（ｃ）に示すように、Low（薄い）が印刷される用紙にはLow（薄い）のＣ（シアン）が印刷され（参照番号８０７）、High（濃い）が印刷される用紙にはHigh（濃い）のＹ（黄色）が印刷される（参照番号８０８）。
【００９８】
このように２回目の濃度調整確認の為の調整チャートの印刷も、Low（薄い）が印刷される用紙、Middle（普通）が印刷される用紙、High（濃い）が印刷される用紙には、濃度調整の為に調整値が入力された色についてだけ印刷されるので、調整値が入力されなかった色の調整チャートは印刷されることなく色材消費量が削減される。
【００９９】
次に、濃度がLow（薄い）、Middle（普通）、High（濃い）３種類についてＣ（シアン）Ｍ（マゼンタ）Ｙ（黄色）Ｋ（ブラック）の色の調整チャートが出力されてＣ，Ｍ、Ｙ、Ｋの濃度調整が行われる別の処理について図９を参照して説明を行う。
【０１００】
図９は、濃度がLow（薄い）、Middle（普通）、High（濃い）３種類についてＣ、Ｍ、Ｙ、Ｋの調整チャートが出力されて画像形成装置１の出力濃度調整が行われる様子であり、図８を参照して説明した調整チャートの出力とは異なる出力について説明する模式図である。
【０１０１】
まず、図９（ａ）に示すように、１枚の用紙に濃度がLow（薄い）のＣ、Ｍ、Ｙ、Ｋの調整チャートが印刷される（参照番号９０１）。
【０１０２】
Low（薄い）の調整チャート（参照番号９０１）には、左上にＣ（シアン）の調整チャートが配置され、右上にＭ（マゼンタ）の調整チャートが配置され、左下にＹ（黄色）の調整チャートが配置され、右下にＫ（ブラック）の調整チャートが配置される。
【０１０３】
同様に、Middle（普通）の調整チャート（参照番号９０２）にも、High（濃い）の調整チャート（参照番号９０３）にも、左上にＣ（シアン）の調整チャートが配置され、右上にＭ（マゼンタ）の調整チャートが配置され、左下にＹ（黄色）の調整チャートが配置され、右下にＫ（ブラック）の調整チャートが配置される。
【０１０４】
このようにLow（薄い）、Middle（普通）、High（濃い）の３枚の調整チャートが印刷出力された後、ユーザが実際に調整チャートを視認して、調整の必要があると判断して調整値が入力されるものは、Low（薄い）のＣ（シアン）とＫ（ブラック）と、Middle（普通）のＭ（マゼンタ）と、High（濃い）のＹ（黄色）であるものとする。
【０１０５】
調整値の入力は、調整チャートに印刷された基準パターンに最も近い色だと見える調整パターンが選択されて入力される。
【０１０６】
調整値が画像形成装置１に入力されて、画像形成装置１内で色の出力の濃度調整が行われると、濃度調整の確認の為に、調整チャートが再度印刷される。
【０１０７】
しかし、濃度調整の確認の為に印刷される調整チャートは、最初に印刷したようにLow（薄い）、Middle（普通）、High（濃い）にＣＭＹＫをそれぞれ印刷するのではなく、調整値が画像形成装置１に入力されたもの調整チャートだけが印刷される。
【０１０８】
そして、調整チャートの印刷は、図８を参照して説明したようにLow（薄い）の色を１枚の調整チャートに印刷してMiddle（普通）の色を１枚の調整チャートに印刷してHigh（濃い）の色を１枚の調整チャートに印刷するのではなく、Low（薄い）の色とMiddle（普通）の色とHigh（濃い）の色とが同じ用紙に含まれてもいいようにまとめて印刷される。
【０１０９】
すなわち、Low（薄い）Ｃ（シアン）とＫ（ブラック）と、Middle（普通）のＭ（マゼンタ）と、High（濃い）のＹ（黄色）との調整チャートが１枚の用紙にまとめられて印刷される（参照番号９０４）。
【０１１０】
調整値が入力された色の調整チャートが、図９（ｂ）に示すように、１枚の用紙にまとめられて印刷されると、調整値が入力されなかった色の調整チャートは印刷されること無く色材消費量が削減され、また、Low（薄い）、Middle（普通）、High（高い）の別に調整チャートを印刷しないので用紙も削減される。
【０１１１】
濃度調整確認の為に印刷された調整チャートをユーザが見て、再度濃度調整の必要のあると判断した色については、再度調整値が画像形成装置１に入力される。
【０１１２】
例えば、Low（薄い）のＣ（シアン）とHigh（濃い）のＹ（黄色）に濃度調整の必要があると判断され、再度画像形成装置１に、再度、調整値が入力されるものとする。
【０１１３】
その場合には、Low（薄い）のＣ（シアン）とHigh（濃い）のＹ（黄色）の調整値が画像形成装置１に入力されて、画像形成措置１内で色の出力の濃度調整が行われると、濃度調整の確認の為に、調整チャートが再度印刷される。
【０１１４】
調整値が入力された色の調整チャートが同じ用紙にまとめられて印刷される。
【０１１５】
図９（ｃ）に示すように、すなわち、Low（薄い）のＣ（シアン）とHigh（濃い）のＹ（黄色）の調整チャートが１枚の用紙にまとめられて印刷される（参照番号９０５）。
【０１１６】
このように２回目の濃度調整確認の為の調整チャートの印刷も、Low（薄い）が印刷される用紙、Middle（普通）が印刷される用紙、High（濃い）が印刷される用紙と濃度別に印刷される用紙が区別されることなく、同じ用紙内にLow（薄い）、Middle（普通）、High（濃い）の調整チャートが混じられて印刷される。
【０１１７】
次に、Ｃ（シアン）Ｍ（マゼンタ）Ｙ（黄色）Ｋ（ブラック）の４色について濃度がLow（薄い）、Middle（普通）、High（濃い）の濃度の調整チャートが出力されてＣ、Ｍ、Ｙ、Ｋの濃度調整が行われる処理について図１０を参照して説明を行う。
【０１１８】
図１０は、色がＣ（シアン）Ｍ（マゼンタ）Ｙ（黄色）Ｋ（ブラック）の４色について各色毎に１枚の用紙に濃度がLow（薄い）、Middle（普通）、High（濃い）の調整チャートが出力されてＣ、Ｍ、Ｙ、Ｋの濃度調整が行われる処理の様子を示す模式図である。
【０１１９】
まず、図１０（ａ）に示すように、１枚の用紙にＫ（blacK）の濃度がLow（薄い）、Middle（普通）、High（濃い）の調整チャートが印刷される（参照番号１００１）。
【０１２０】
Ｋ（blacK）の調整チャートが印刷された用紙には、上段右にＫ（blacK）のLow（薄い）の濃度の調整チャート（基準パターンと調整パターン）が配置され、中段左にＫ（blacK）のMiddle（普通）の濃度の調整チャートが配置され、下段右にＫ（blacK）のHigh（濃い）の濃度の調整チャートが配置される。
【０１２１】
同様に、Ｙ（黄色）の調整チャートが印刷された用紙（参照番号１００２）にも、上段右にＹ（黄色）のLow（薄い）の濃度の調整チャート（基準パターンと調整パターン）が配置され、中段左にＹ（黄色）のMiddle（普通）の濃度の調整チャートが配置され、下段右にＹ（黄色）のHigh（濃い）の濃度の調整チャートが配置される。
【０１２２】
同様に、Ｍ（マゼンタ）の調整チャートが印刷された用紙（参照番号１００３）にも、上段右にＭ（マゼンタ）のLow（薄い）の濃度の調整チャート（基準パターンと調整パターン）が配置され、中段左にＭ（マゼンタ）のMiddle（普通）の濃度の調整チャートが配置され、下段右にＭ（マゼンタ）のHigh（濃い）の濃度の調整チャートが配置される。
【０１２３】
同様に、Ｃ（シアン）の調整チャートが印刷された用紙（参照番号１００４）にも、上段右にＣ（シアン）のLow（薄い）の濃度の調整チャート（基準パターンと調整パターン）が配置され、中段左にＣ（シアン）のMiddle（普通）の濃度の調整チャートが配置され、下段右にＣ（シアン）のHigh（濃い）の濃度の調整チャートが配置される。
【０１２４】
このようにＣ、Ｍ、Ｙ、Ｋの４枚の用紙が印刷出力された後、ユーザが実際に調整チャートを視認して、調整の必要があると判断して調整値が入力されるものは、Ｋ（blacK）のLow（薄い）とＹ（黄色）のHigh（濃い）とＭ（マゼンタ）のMiddle（普通）とＣ（シアン）のLow（薄い）であるものとする。
【０１２５】
調整値の入力は、調整チャートに印刷された基準パターンに最も近い色だと見える調整パターンが選択されて入力される。
【０１２６】
調整値が画像形成装置１に入力されて、画像形成装置１内で色の出力の濃度調整が行われると、濃度調整の確認の為に、調整チャートが再度印刷される。
【０１２７】
しかし、濃度調整の確認の為に印刷される調整チャートは、最初に印刷したようにＣＭＹＫのそれぞれの用紙にLow（薄い）とMiddle（普通）とHigh（濃い）とが印刷されるのではなく、画像形成装置１に調整値１が入力されたも濃度の関する調整チャートだけが印刷される。
【０１２８】
すなわち、濃度調整の確認の為に印刷される調整チャートは、図１０（ｂ）に示すように、Ｋ（blacK）が印刷される用紙にはＫ（blacK）のLow（薄い）が印刷され（参照番号１００５）、Ｙ（黄色）が印刷される用紙にはＹ（黄色）のHigh（濃い）が印刷され（参照番号１００６）、Ｍ（マゼンタ）が印刷される用紙にはＭ（マゼンタ）のMiddle（普通）が印刷され（参照番号１００７）、Ｃ（シアン）が印刷される用紙にはＣ（シアン）のLow（薄い）が印刷される（参照番号１００８）。
【０１２９】
このように、Ｋ（blacK）が印刷される用紙、Ｙ（黄色）が印刷される用紙、Ｍ（マゼンタ）が印刷される用紙、Ｃ（シアン）が印刷される用紙には、濃度調整の為に調整値が入力された濃度の調整チャートだけが印刷されるので、調整値が入力されなかった濃度の調整チャートは印刷されることなく色材消費量が削減される。
【０１３０】
濃度調整確認の為に印刷された調整チャートをユーザが見て、再度濃度調整の必要のあると判断した色については、再度、調整値が画像形成装置１に入力される。
【０１３１】
例えば、Ｙ（黄色）のHigh（濃い）とＭ（マゼンタ）のMiddle（普通）に濃度調整の必要があると判断され、再度、画像形成装置１にそれらの調整値が入力されるものとする。
【０１３２】
その場合には、Ｙ（黄色）のHigh（濃い）とＭ（マゼンタ）のMiddle（普通）の調整値が画像形成装置１に入力されて、画像形成装置１内で色の出力の濃度調整が行われると、濃度調整の確認の為に、調整チャートが再度印刷される。
【０１３３】
その際にも、前回印刷された調整チャートと同じ調整チャートが印刷されるのではなく、調整値が入力されたものの調整チャートが印刷される。
【０１３４】
すなわち、図１０（ｃ）に示すように、Ｙ（黄色）が印刷される用紙にはＹ（黄色）のHigh（濃い）の調整チャートが印刷され（参照番号１００９）、Ｃ（シアン）が印刷される用紙にはＣ（シアン）のLow（薄い）の調整チャートが印刷される（参照番号１０１０）。
【０１３５】
このように２回目の濃度調整確認の為の調整チャートの印刷も、Ｋ（blacK）が印刷される用紙、Ｙ（黄色）が印刷される用紙、Ｍ（マゼンタ）が印刷される用紙、Ｃ（シアン）が印刷される用紙には、濃度調整の為に調整値が入力された色についてだけ印刷されるので、調整値が入力されなかったものの調整チャートは印刷されることなく色材消費量が削減される。
【０１３６】
次に、Ｃ（シアン）Ｍ（マゼンタ）Ｙ（黄色）Ｋ（ブラック）の４色について濃度がLow（薄い）、Middle（普通）、High（濃い）の濃度の調整チャートが出力されてＣ、Ｍ、Ｙ、Ｋの濃度調整が行われる処理について図１１を参照して説明を行う。
【０１３７】
図１１は、色がＣ（シアン）Ｍ（マゼンタ）Ｙ（黄色）Ｋ（ブラック）の４色について各色毎に１枚の用紙に濃度がLow（薄い）、Middle（普通）、High（濃い）の調整チャートが出力されてＣ、Ｍ、Ｙ、Ｋの濃度調整が行われる処理の様子を示す模式図である。
【０１３８】
まず、図１１（ａ）に示すように、１枚の用紙にＫ（blacK）の濃度がLow（薄い）、Middle（普通）、High（濃い）の調整チャートが印刷される（参照番号１１０１）。
【０１３９】
Ｋ（blacK）の調整チャートが印刷された用紙には、上段右にＫ（blacK）のLow（薄い）の濃度の調整チャート（基準パターンと調整パターン）が配置され、中段左にＫ（blacK）のMiddle（普通）の濃度の調整チャートが配置され、下段右にＫ（blacK）のHigh（濃い）の濃度の調整チャートが配置される。
【０１４０】
同様に、Ｙ（黄色）の調整チャートが印刷された用紙（参照番号１１０２）にも、上段右にＹ（黄色）のLow（薄い）の濃度の調整チャート（基準パターンと調整パターン）が配置され、中段左にＹ（黄色）のMiddle（普通）の濃度の調整チャートが配置され、下段右にＹ（黄色）のHigh（濃い）の濃度の調整チャートが配置される。
【０１４１】
同様に、Ｍ（マゼンタ）の調整チャートが印刷された用紙（参照番号１１０３）にも、上段右にＭ（マゼンタ）のLow（薄い）の濃度の調整チャート（基準パターンと調整パターン）が配置され、中段左にＭ（マゼンタ）のMiddle（普通）の濃度の調整チャートが配置され、下段右にＭ（マゼンタ）のHigh（濃い）の濃度の調整チャートが配置される。
【０１４２】
同様に、Ｃ（シアン）の調整チャートが印刷された用紙（参照番号１１０４）にも、上段右にＣ（シアン）のLow（薄い）の濃度の調整チャート（基準パターンと調整パターン）が配置され、中段左にＣ（シアン）のMiddle（普通）の濃度の調整チャートが配置され、下段右にＣ（シアン）のHigh（濃い）の濃度の調整チャートが配置される。
【０１４３】
このようにＣ、Ｍ、Ｙ、Ｋの４枚の用紙が印刷出力された後、ユーザが実際に調整チャートを視認して、調整の必要があると判断して調整値が入力されるものは、Ｋ（blacK）のLow（薄い）とＹ（黄色）のHigh（濃い）とＭ（マゼンタ）のMiddle（普通）とＣ（シアン）のLow（薄い）であるものとする。
【０１４４】
調整値の入力は、調整チャートに印刷された基準パターンに最も近い色だと見える調整パターンが選択されて入力される。
【０１４５】
調整値が画像形成装置１に入力されて、画像形成装置１内で色の出力の濃度調整が行われると、濃度調整の確認の為に、調整チャートが再度印刷される。
【０１４６】
しかし、濃度調整の確認の為に印刷される調整チャートは、最初に印刷したようにＣＭＹＫのそれぞれの用紙にLow（薄い）とMiddle（普通）とHigh（濃い）とが印刷されるのではなく、画像形成装置１に調整値１が入力されたも濃度の関する調整チャートだけが１枚の用紙にまとめられて印刷される。
【０１４７】
すなわち、Ｋ（blacK）のLow（薄い）とＹ（黄色）のHigh（濃い）とＭ（マゼンタ）のMiddle（普通）とＣ（シアン）のLow（薄い）との調整チャートが１枚の用紙にまとめられて印刷される（参照番号１１０５）。
【０１４８】
調整値が入力された色の調整チャートが、図１１（ｂ）に示すように、１枚の用紙にまとめられて印刷されると、調整値が入力されなかった色の調整チャートは印刷されること無く色材消費量が削減され、また、色毎に調整チャートを印刷しないので用紙も削減される。
【０１４９】
濃度調整確認の為に印刷された調整チャートをユーザが見て、再度濃度調整の必要のあると判断した色については、再度、調整値が画像形成装置１に入力される。
【０１５０】
例えば、Ｃ（シアン）のLow（薄い）とＫ（blacK）のHigh（濃い）との調整チャートに濃度調整の必要があると判断され、画像形成装置１に、再度、調整値が入力されるものとする。
【０１５１】
その場合には、Ｃ（シアン）のLow（薄い）とＫ（blacK）のHigh（濃い）との調整値が画像形成装置１に入力されて、画像形成措置１内で色の出力の濃度調整が行われると、濃度調整の確認の為に、調整チャートが再度印刷される。
【０１５２】
調整値が入力された色の調整チャートが同じ用紙にまとめられて印刷される。
【０１５３】
すなわち、図１１（ｃ）に示すように、Ｃ（シアン）のLow（薄い）とＫ（blacK）のHigh（濃い）の調整チャートが１枚の用紙にまとめられて印刷される（参照番号１１０６）。
【０１５４】
このように２回目の濃度調整確認の為の調整チャートの印刷も、Ｋ（blacK）が印刷される用紙、Ｙ（黄色）が印刷される用紙、Ｍ（マゼンタ）が印刷される用紙、Ｃ（シアン）が印刷される用紙と色別に印刷される用紙が区別されることなく、同じ用紙内にＫ（blacK）、Ｙ（黄色）、Ｍ（マゼンタ）の調整チャートが混ぜられて印刷される。
【０１５５】
尚、画像形成装置１から印刷される調整チャートは、濃度調整の為の調整チャートだけでなくグレーバランス調整の為の調整チャートが調整チャート生成部７によって生成されて印刷されても良い。
【産業上の利用可能性】
【０１５６】
この発明は、画像形成装置において利用可能である。
【図面の簡単な説明】
【０１５７】
【図１】画像形成装置１の構成を示すブロック図。
【図２】印刷された調整チャートの１例を示す模式図。
【図３】調整チャートの複数の同心円で構成される円を示す模式図。
【図４】ＲＯＭ５に記憶される元チャートの画像データを示す模式図。
【図５】元チャートの一部である、複数の同心円で構成される円を示す模式図。
【図６】基準パターンと調整パターンとへの配色の組み合わせを示す模式図。
【図７】低線数パターン処理部１２で行われる処理を示す模式図。
【図８】調整チャートが印刷出力される様子を示す図。
【図９】調整チャートが印刷出力される様子を示す図。
【図１０】調整チャートが色の用紙別に印刷出力される様子を示す図。
【図１１】調整チャートが色の用紙別に印刷出力される様子を示す図。
【符号の説明】
【０１５８】
１    画像形成装置
２    表示／操作部
３    制御部
４    ＲＯＭ
５    ＲＡＭ
６    プリントエンジン
７    画像処理部
８    調整チャート生成部
９    階調補正部
１０    スクリーン処理部
１１    色指定処理部
１２    低線数パターン処理部
【図１】
2010164620.tif 000003
【図２】
2010164620.tif 000004
【図３】
2010164620.tif 000005
【図４】
2010164620.tif 000006
【図５】
2010164620.tif 000007
【図６】
2010164620.tif 000008
【図７】
2010164620.tif 000009
【図８】
2010164620.tif 000010
【図９】
2010164620.tif 000011
【図１０】
2010164620.tif 000012
【図１１】
2010164620.tif 000013